【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
内側管状構造と外管とを備えるホースであって、該内側管状構造が、内側把持部材と外側把持部材との間に配設された管状本体を備え、該管状本体が、密閉層を含み、かつ極低温の温度に耐えることができる材料から形成されており、該外管が、ゴム層と該ゴム層の周りに配設された補強層とを含み、該内側管状構造が、該内側管状構造内を流れる極低温流体の低温から該外管を保護するのに十分な断熱特性を有する、前記ホース。
【請求項２】
前記管状本体が、前記密閉層を挟む少なくとも2つの前記補強層を含む、請求項1記載のホース。
【請求項３】
前記内側管状構造が、軸方向強化手段を更に含む、請求項1又は2記載のホース。
【請求項４】
前記軸方向強化手段が、管形状で提供される材料のシートから形成された略管状のブレードを備える、請求項3記載のホース。
【請求項５】
前記軸方向強化手段が、前記ホースの長さに沿って延在する複数の軸方向強化ストリップを備える、請求項3又は4記載のホース。
【請求項６】
前記補強層又は各補強層が、前記内側管状構造内で管状形態に巻かれた材料のシートから形成される、請求項1〜5のいずれか記載のホース。
【請求項７】
前記密閉層が、前記内側管状構造内で管状形態に巻かれた材料のシートから形成される、請求項1〜6のいずれか記載のホース。
【請求項８】
断熱層が、前記内側管状構造内に組み込まれる、請求項1〜7のいずれか記載のホース。
【請求項９】
前記断熱層が、前記内側把持部材と外側把持部材の間に配設される、請求項8記載のホース。
【請求項１０】
前記断熱層が、前記外側把持部材上に重なる、請求項8記載のホース。
【請求項１１】
前記断熱層が、対向する長手方向の端部を有する断熱材料製の細長部材を備え、該細長部材が、該層の該対向する長手方向の端部が隣接する又は重なり合う配置になるように前記管状本体の周りにらせん状に巻かれており、各々の長手方向の端部が、該対向する長手方向の端部上の、協働する構造と相互係合することができる構造を含む、請求項10記載のホース。
【請求項１２】
前記断熱層が、玄武岩繊維から形成された布を含む、請求項8、9又は10記載のホース。
【請求項１３】
前記内側管状構造の各々の端部に配設されたエンドフィッティングを更に備える、請求項1〜12のいずれか記載のホース。
【請求項１４】
前記内側管状構造の前記内側及び外側把持部材が、らせん形の把持部材である、請求項1〜13のいずれか記載のホース。
【請求項１５】
前記内側管状構造の前記内側及び外側把持部材が、らせん形のワイヤであることが好ましい、請求項1〜14のいずれか記載のホース。
【請求項１６】
前記内側管状構造が、前記ホースの屈曲中、前記外管に対して移動可能である、請求項1〜15のいずれか記載のホース。
【請求項１７】
内側管状構造と、外管と、断熱層とを含むホースであって、該内側管状構造が、管状ベローズを含み、該外管が、ゴム層と該ゴム層の周りに配設された補強層とを含み、該断熱層が、該内側管状構造内に組み込まれ、かつ/又は該内側管状構造と該外管との間に配設され、該内側管状構造が、該ホースの屈曲中、該外管に対して移動可能であり、該内側管状構造が、該内側管状構造内を流れる極低温流体の低温から該外管を保護するのに十分な断熱特性を有する、前記ホース。
【請求項１８】
前記内側管状構造が、前記管状ベローズの各々の端部にエンドフィッティングを含む、請求項17記載のホース。
【請求項１９】
前記内側管状構造が、前記第1のベローズの周りに配置された第2の管状ベローズを含む、請求項17又は18記載のホース。
【請求項２０】
断熱層が、前記内側管状構造内に組み込まれる、請求項17、18又は19記載のホース。
【請求項２１】
前記断熱層が、前記2つのベローズの間に設けられる、請求項19に従属する場合の請求項20記載のホース。
【請求項２２】
前記外管の内側ゴムが、天然又は合成ゴムを含むライナー層である、請求項1〜21のいずれか記載のホース。
【請求項２３】
前記外管の補強層が、布層又は金属層、或いは金属部分を組み込む布である、請求項1〜22のいずれか記載のホース。
【請求項２４】
前記外管の補強層が、追加の金属補強を光学的に組み込むポリマー材料である、請求項1〜23のいずれか記載のホース。
【請求項２５】
前記外管が、らせん形のワイヤを更に含む、請求項1〜24のいずれか記載のホース。
【請求項２６】
前記らせん形のワイヤが、ゴム基材又は他のポリマー材料の基材に埋め込まれる、請求項1〜25のいずれか記載のホース。
【請求項２７】
前記外管が、外側カバー層を更に含む、請求項1〜26のいずれか記載のホース。
【請求項２８】
前記外側カバー層が、ゴムである、請求項27記載のホース。
【請求項２９】
前記外管の層が、組立後に硬化されており、それによって該層の全てが該外管の層が互いに移動するのを防止するように密接に接着される、請求項1〜28のいずれか記載のホース。
【請求項３０】
前記内側管状構造及び前記外管が、該内側管状構造の外面が該外管の内面と接触するように寸法設定される、請求項1〜29のいずれか記載のホース。
【請求項３１】
前記内側管状構造及び前記外管が、該内側管状構造の外面と該外管の内面との間に環状空間が存在するように寸法設定される、請求項1〜29のいずれか一項記載のホース。
【請求項３２】
スペーシング手段が、前記内側管状構造と前記外管との間に所望の間隔を維持するために前記環状空隙内に設けられる、請求項31記載のホース。
【請求項３３】
前記内側管状構造が、前記環状空隙内に配設された断熱材料を更に含む、請求項32記載のホース。
【請求項３４】
前記外管の内径が、少なくとも150mmである、請求項1〜33のいずれか記載のホース。
【請求項３５】
前記内側管状構造の内径が、少なくとも150mmである、請求項1〜34のいずれか記載のホース。
【請求項３６】
端部同士で連結された請求項1〜35のいずれか記載の複数のホースを備える、ホース列。
【請求項３７】
-100℃を下回る温度の流体を輸送するための請求項1〜36のいずれか記載のホースの使用。
【請求項３８】
-150℃を下回る温度の流体を輸送するための請求項1〜37のいずれか記載のホースの使用。
【請求項３９】
流体を水面上海洋構造物から水面下海洋構造物に輸送するためのシステムであって、該水面上海洋構造物から該水面下海洋構造物に、又は該水面下海洋構造物から該水面上海洋構造物に該流体が流れることができるように該水面上海洋構造物及び該水面下海洋構造物に動作可能に連結されたライザーを備え、該ライザーの少なくとも一部が、請求項1〜35のいずれか一項に定義されたホースから形成される、前記システム。
【請求項４０】
水面に配置されたブイを更に備え、前記ライザーが、該ブイから前記水面下海洋構造物に延びており、該ブイによって支持される、請求項39記載のシステム。
【請求項４１】
前記ライザーが、前記水面上海洋構造物から前記水面下海洋構造物に直接延びている、請求項39記載のシステム。
【請求項４２】
水面ブイが、海底に配置された水面下連結器に取り付けられ、前記ホースが、前記水面上海洋構造物から前記水面下連結器に直接延びている、請求項39記載のシステム。
【請求項４３】
前記水面上海洋構造物が、船又は浮遊式プラットフォームである、請求項39〜42のいずれか一項記載のシステム。
【請求項４４】
前記水面下海洋構造物が、海底パイプラインである、請求項39〜43のいずれか一項記載のシステム。
【請求項４５】
-100℃の温度を有する流体を輸送する方法であって、請求項1〜35のいずれか一項記載のホースを使用して該流体を水面上海洋構造物から水面下海洋構造物に運搬することを含む、前記方法。